(57)【要約】【課題】消色インク及び非消色インクを選択的に用いて画像を形成する画像形成装置を提供することを目的とする。【解決手段】加熱により無色化する消色インクのための消色インクカートリッジ７１１〜７１４及び第１記録ヘッド７０１〜７０４を有する第１記録部７と、加熱によって無色化しない非消色インクのための非消色インクカートリッジ８１１〜８１４及び第２記録ヘッド８０１〜８０４を有する第２記録部８と、使用するインクを指定するインク指定部１５と、インク指定に基づいて第１記録部７又は第２記録部８による印刷処理を切り替える印刷制御部６とを備える。この様な構成により、同じ複合機１において、消色インク及び非消色インクを用いた印刷処理を行うことができる。【選択図】  図２
2010115852.tif 000002
【特許請求の範囲】
【請求項１】
加熱により無色化する消色インクが供給される第１記録ヘッドと、
加熱しても無色化しない非消色インクが供給される第２記録ヘッドと、
消色インク及び非消色インクのいずれかを指定するための外部入力が行われるインク指定部とを備え、
上記外部入力に基づいて第１記録ヘッド及び第２記録ヘッドのいずれかを選択し、選択された記録ヘッドを制御して印刷処理を行う印刷部とを備えたことを特徴とする画像形成装置。
【請求項２】
上記消色インク及び非消色インクのインク残量をそれぞれ検出するインク残量検出部を備え、
上記印刷制御部は、上記インク残量に基づいて、第１記録ヘッド及び第２記録ヘッドのいずれかを選択することを特徴とする請求項１に記載の画像形成装置。
【請求項３】
上記印刷制御部は、上記消色インクのインク残量に基づいて、第２記録ヘッドを選択することを特徴とする請求項２に記載の画像形成装置。
【請求項４】
上記印刷制御部は、上記非消色インクのインク残量に基づいて、第１記録ヘッドを選択することを特徴とする請求項２に記載の画像形成装置。
【請求項５】
上記インク残量に基づいて警告を出力する警告手段を備え、
上記印刷制御部は、警告出力後のユーザ操作に基づいて、選択する記録ヘッドを変更することを特徴とする請求項２、３又は４に記載の画像形成装置。
【発明の詳細な説明】
【技術分野】
【０００１】
本発明は、画像形成装置に係り、更に詳しくは、加熱により無色化する消色インク及び加熱しても無色化しない非消色インクを用いて記録紙に画像を形成する画像形成装置に係る。
【背景技術】
【０００２】
近年、加熱によって無色化するインクを用いて画像を記録紙に印刷する印刷装置が提案されている（例えば、特許文献１）。加熱によって無色化するインクは、消色インクと呼ばれ、ロイコ色素などの無色の色素、顕色剤及び消色剤からなる。常温では、ロイコ色素及び顕色剤が分子的に結合して発色するのに対し、一定温度以上に加熱することによって、ロイコ色素と顕色剤との結合が切れ、顕色剤が消色剤に捕捉されてロイコ色素が無色化する。この様な消色インクを用いて記録紙に形成された画像は、記録紙を加熱することによって消去できることから、画像が記録された記録紙を容易に再利用することができる。
【特許文献１】特開２００１−３０２９５４号公報
【発明の開示】
【発明が解決しようとする課題】
【０００３】
消色インクを用いて記録紙に画像を形成すれば、インクを無色化することによって記録紙の再利用が可能となるが、機密文書や保存文書など画像の内容が消去されては困る文書もある。このため、一つの印刷装置により、使用目的に応じて消色インクを用いて画像を記録する場合と、非消色インクを用いて画像を記録する場合とを使い分けることが望ましい。
【０００４】
本発明は、上記事情に鑑みてなされたものであり、消色インク及び非消色インクを選択的に用いて画像を形成する画像形成装置を提供することを目的とする。また、本発明は、消色インク又は非消色インクの残量に基づいて画像形成に用いるインクを選択する画像形成装置を提供することを目的とする。特に、消色インク又は非消色インクのうち一方のインクが指定されている場合であっても、当該一方のインク残量が少なくなれば、他方のインクに切り替えて画像形成を行う画像形成装置を提供することを目的とする。
【課題を解決するための手段】
【０００５】
第１の本発明による画像形成装置は、加熱により無色化する消色インクが供給される第１記録ヘッドと、加熱しても無色化しない非消色インクが供給される第２記録ヘッドと、消色インク及び非消色インクのいずれかを指定するための外部入力が行われるインク指定部と、上記外部入力に基づいて第１記録ヘッド及び第２記録ヘッドのいずれかを選択し、選択された記録ヘッドを制御して印刷処理を行う印刷制御部とを備えて構成される。
【０００６】
この様な構成により、消色インク及び非消色インクのいずれかを指定することによって、消色インクと非消色インクのうち、希望するインクを用いて記録紙に画像を形成することができる。
【０００７】
第２の本発明による画像形成装置は、上記構成に加え、上記消色インク及び非消色インクのインク残量をそれぞれ検出するインク残量検出部を備え、上記印刷制御部が、上記インク残量に基づいて、第１記録ヘッド及び第２記録ヘッドのいずれかを選択するように構成される。この様な構成により、印刷処理に用いるインクを外部指定及びインク残量に基づいて選択することができる。例えば、外部入力によって指定されたインクの残量が少ない場合に、指定されたインクとは異なるインクを用いて印刷を行うことができる。
【０００８】
第３の本発明による画像形成装置は、上記構成に加え、上記印刷制御部が、上記消色インクの残量に基づいて、第２記録ヘッドを選択するように構成される。この様な構成により、消色インクの残量が少ない場合には、外部入力によって消色インクが指定された場合であっても、印刷制御部によって第２記録ヘッドが選択され、非消色インクを用いた印刷を行うことができる。
【０００９】
第４の本発明による画像形成装置は、上記構成に加え、上記印刷制御部が、上記非消色インクのインク残量に基づいて、第１記録ヘッドを選択するように構成される。この様な構成により、非消色インクの残量が少ない場合には、外部入力によって非消色インクが指定された場合であっても、印刷制御部によって第１記録ヘッドが選択され、消色インクを用いた印刷を行うことができる。
【００１０】
第５の本発明による画像形成装置は、上記構成に加え、上記インク残量に基づいて警告を出力する警告手段を備え、上記印刷制御部が、警告出力後のユーザ操作に基づいて、選択する記録ヘッドを変更するように構成される。インク残量に基づいて選択する記録ヘッドを変更する前にユーザの意思確認を行うことにより、無駄な印刷処理が行われるのを防止することができる。
【発明の効果】
【００１１】
本発明による画像形成装置は、消色インク及び非消色インクがそれぞれ供給される第１及び第２記録ヘッドを有し、消色インク又は非消色インクを指定する外部入力に基づいて、印刷処理に使用する記録ヘッドが選択される。このため、同じ画像形成装置を用いて、消色インクによる印刷と、非消色インクによる印刷とを行うことができる。
【００１２】
また、消色インク及び非消色インクのインク残量に基づいて、印刷処理に使用する記録ヘッドが選択される。このため、インク残量に応じて、外部入力により指定されたインクとは異なるインクを用いて印刷を行うことができる。
【発明を実施するための最良の形態】
【００１３】
図１は、本発明の実施の形態による画像形成装置を含む画像処理システムの一構成例を示したブロック図であり、画像形成装置の一例として複合機１が示されている。この複合機１は、紙原稿から光学的に読み取った画像を記録紙に印刷することができ、また、外部からの受信データに基づいて記録紙への印刷を行うこともできる。
【００１４】
例えば、ＬＡＮ（Local Area Network）２を介して、端末装置３から印刷データを受信し、当該印刷データに基づく印刷を行うことができる。また、ＰＳＴＮ（公衆電話交換回線網）４を介して、他のファクシミリ装置（不図示）からファクシミリ通信データを受信し、当該通信データに基づく印刷を行うことができる。さらに、インターネット等のＷＡＮ（広域通信網）５を介してメールサーバ（不図示）に接続され、メールサーバを通じて電子メールを受信し、受信した電子メールに基づく印刷を行うことができる。
【００１５】
この複合機１は、記録紙上にインクを吐出するインクジェット記録方式を採用し、上記インクとして消色インク及び非消色インクを使用することができる。つまり、消色インク又は非消色インクのいずれかを指定すれば、任意のインクを用いた印刷を行うことができる。インクの指定は、複合機１におけるユーザの操作入力や、また、端末装置３からの印刷信号によって行われる。
【００１６】
図２は、図１の複合機１の一構成例を示したブロック図である。複合機１は、操作入力部１０、ＬＡＮ通信部１１、光学読取部１２、ＦＡＸ通信部１３、メール通信部１４、インク指定部１５及び印刷部１６によって構成される。
【００１７】
操作入力部１０は、ユーザが操作入力を行うための手段であり、操作キーやタッチパネルからなり、複合機１の各種設定を行うことができる。ここでは、操作入力部１０からの操作信号がインク指定部１５へ出力されており、印刷処理に使用するインクの指定をユーザ操作によって行うことができる。
【００１８】
ＬＡＮ通信部１１は、ＬＡＮ２を介して端末装置３とのデータ通信を行って、端末装置３からの印刷信号を受信する。この印刷信号は、端末装置３内のプリンタドライバによって生成され、印刷対象の画像データとともに、消色インク又は非消色インクのいずれかを指定するインク指定情報を含んでいる。ＬＡＮ通信部１１は、印刷信号内の画像データを印刷部１６へ出力し、インク指定情報をインク指定部１５へ出力する。
【００１９】
プリンタドライバは、複合機１とのデータ通信を行うためのプログラムであり、端末装置１内には、複合機１に対応するプリンタドライバが予めインストールされている。プリンタドライバは、印刷を指示したアプリケーションプログラムに応じて、インク指定情報を生成することができる。例えば、メール閲覧用プログラムであれば消色インクを指定し、文書作成プログラム（ワードプロセッサ）であれば非消色インクを指定する。また、印刷対象の文書データに含まれる属性情報に基づいて、インク指定情報を生成することもできる。例えば、文書テンプレートに対し、消色インク又は非消色インクの指定が予め対応づけられており、このような文書テンプレートを用いて作成された文書データ内に、その属性情報として文書テンプレートの情報を有している場合であれば、印刷が指示された文書データの属性情報に基づいてインク指定情報を生成することができる。
【００２０】
光学読取部１２は、紙原稿に光を照射し、その反射光をラインセンサ等の光学センサによって読み取らせ、その受光量に応じた読取データを生成する。ＦＡＸ通信部１３は、ＰＳＴＮ４を介して、他のファクシミリ装置からファクシミリ通信情報を受信する。また、メール通信部１４は、メールサーバから電子メールを受信する。光学読取部１２の読取データや、ＦＡＸ通信部１３及びメール通信部１４の受信データは、画像データとして印刷部１６へ出力される。
【００２１】
インク指定部１５は、消色インク及び非消色インクのいずれかを印刷処理に使用するインクとして指定する。例えば、操作入力部１０からの操作信号に基づいて、インクを指定することができる。つまり、複合機１におけるユーザ操作によってインクを指定することができる。また、ＬＡＮ通信部１１が受信した印刷信号に含まれるインク指定情報に基づいてインクを指定することもできる。この場合、端末装置３におけるユーザ操作や、印刷を指示した端末装置３内のアプリケーションプログラムに応じてインクを指定することができる。さらに、印刷対象が、ＬＡＮ通信部１１、光学読取部１２、ＦＡＸ通信部１３、メール通信部１４のいずれから出力された画像データであるのかに応じて、インクを指定することもできる。
【００２２】
印刷部１６は、記録紙にインクを吐出して画像を形成するインクジェット方式の印刷手段であり、消色インク又は非消色インクのうち、指定されたインクを用いて印刷処理を行う。この印刷部１６は、印刷制御部６、第１記録部７及び第２記録部８によって構成される。また、印刷制御部６は、ヘッド選択部２０及びヘッド駆動部２１によって構成される。
【００２３】
第１記録部７は、消色インクを用いて印刷処理を行うための手段であり、４つの第１記録ヘッド７０１〜７０４と、４つの消色インクカートリッジ７１１〜７１４と、４つのインク残量検出部７２１〜７２４によって構成される。第１記録ヘッド７０１〜７０４は、互いに異なる色の消色インクを吐出する記録ヘッドであり、これらの消色インクは、対応する消色インクカートリッジ７１１〜７１４からそれぞれ供給される。消色インクカートリッジ７１１〜７１４は、互いに異なる色の消色インクを貯留するインクタンクである。例えば、シアン色（Ｃ）、マゼンタ色（Ｍ）、イエロー色（Ｙ）、黒色（Ｋ）の消色インクが、消色インクカートリッジ７１１〜７１４に貯留され、第１記録ヘッド７０１〜７０４へ供給される。インク残量検出部７２１〜７２４は、対応する消色インクカートリッジ７１１〜７１４のインク残量を検出している。
【００２４】
消色インクは、加熱することによって無色化するインクであり、ロイコ色素などの無色の色素と、このロイコ色素と分子的に結合することによって、このロイコ色素を発色させる顕色剤と、加熱してロイコ色素と顕色剤との結合が切れたときに、顕色剤を捕捉してロイコ色素を無色の色素にする消色剤とを溶剤中に溶解又は分散させることによって形成される。
【００２５】
ロイコ色素などの無色の色素は、電子供与性の呈色性化合物からなるのに対して、顕色剤は、電子受容性の化合物からなる。この電子受容性化合物としては、例えば、ポリオキシエチレンアルキルエーテルのリン酸エステルが用いられる。このように、消色インクは、初期状態では、ロイコ色素と顕色剤とが結合して発色しており、加熱するとロイコ色素と顕色剤の結合が切れて、顕色剤が消去剤に捕捉され、ロイコ色素が無色の色素となる。本実施の形態では、−２０℃以上８０℃以下の温度範囲で発色し、８０℃以上に加熱することによって無色化する消色インクを用いている。
【００２６】
第２記録部８は、非消色インクを用いて印刷処理を行うための手段であり、第１記録部７と同様にして、４つの第２記録ヘッド８０１〜８０４と、４つの非消色インクカートリッジ８１１〜８１４と、４つのインク残量検出部８２１〜８２４によって構成される。第２記録ヘッド８０１〜８０４は、互いに異なる色の非消色インクを吐出する記録ヘッドであり、これらの非消色インクは、対応する非消色インクカートリッジ８１１〜８１４からそれぞれ供給される。非消色インクカートリッジ８１１〜８１４は、互いに異なる色の非消色インクを貯留するインクタンクである。例えば、シアン色（Ｃ）、マゼンタ色（Ｍ）、イエロー色（Ｙ）、黒色（Ｋ）の非消色インクが、非消色インクカートリッジ８１１〜８１４にそれぞれ貯留され、第２記録ヘッド８０１〜８０４へ供給される。インク残量検出部８２１〜８２４は、対応する非消色インクカートリッジ８１１〜８１４のインク残量を検出している。
【００２７】
なお、インク残量の検出は、インクカートリッジ７１１〜７１４及び８１１〜８１４内のインク残量を実際に計測することによって行うこともできるし、インクカートリッジ交換後に行われた当該インクを用いた記録動作、例えば、記録したドット数に基づいてインク残量を推定する方法であってもよい。
【００２８】
ヘッド選択部２０は、インク指定部１５によるインク指定に基づいて、印刷処理に用いる記録ヘッドとして、第１記録ヘッド７０１〜７０４又は第２記録ヘッド８０１〜８０４のいずれかを選択する。つまり、消色インクが指定された場合には、第１記録ヘッド７０１〜７０４を選択し、非消色インクが指定された場合には、第２記録ヘッド８０１〜８０４を選択する。この様にして、ユーザによる操作入力や、端末装置３からの印刷信号などの外部入力に基づいて、記録ヘッド７０１〜７０４，８０１〜８０４を選択することにより、上記外部入力によって指定されたインクを用いた印刷処理を行うことができる。
【００２９】
また、ヘッド選択部２０は、インク残量の検出結果に基づいて、印刷処理に用いる記録ヘッドを選択することができる。すなわち、消色インクが指定されている場合であっても、消色インクカートリッジ７１１〜７１４のインク残量のいずれかが所定量を下回っている場合には、第１記録ヘッド７０１〜７０４に代えて、第２記録ヘッド８０１〜８０４を選択する。同様にして、非消色インクが指定されている場合であっても、非消色インクカートリッジ８１１〜８１４のインク残量のいずれかが所定量を下回っている場合には、第２記録ヘッド８０１〜８０４に代えて、第２記録ヘッド７０１〜７０４を選択する。
【００３０】
この様にして、ヘッド選択部２０は、第１記録ヘッド７０１〜７０４と、第２記録ヘッド８０１〜８０４とをセットで切り替えている。４色の消色インクのうち、１色のインク残量だけが少なくなった場合であっても、当該色に対応する記録ヘッドのみを切り替えれば色再現性が低下する。このため、１色のインク残量が少なくなれば、４つの記録ヘッドをセットで切り替えている。非消色インクのうち、１色のインク残量だけが少なくなった場合も同様であることは言うまでもない。なお、色再現性の低下を利用して、インク残量の低下をユーザに知らせたい場合には、インク残量が低下した色に対応する記録ヘッドのみを切り替えてもよい。
【００３１】
ヘッド駆動部２１は、印刷対象である画像データに基づいて、記録ヘッド７０１〜７０４，８０１〜８０４の駆動制御を行って記録紙上に画像を形成する。その際、第１記録ヘッド７０１〜７０４又は第２記録ヘッド８０１〜８０４のうち、ヘッド選択部２０によって選択された一方からインクを吐出させるように制御する。
【００３２】
図３及び図４は、本実施の形態に係る複合機１における印刷部１６の具体的構成の一例を示す外観図である。図３には、印刷部１６の側面図が示され、図４には、正面図が示されている。
【００３３】
キャリッジ６４は、８つの記録ヘッド７０１〜７０４，８０１〜８０４を有するとともに、８つのインクカートリッジ７１１〜７１４，８１１〜８１４を着脱自在に支持することができる。各記録ヘッド７０１〜７０４，８０１〜８０４には、搬送方向に多数の吐出ノズルがそれぞれ列設されている。また、インクカートリッジ７１１〜７１４，８１１〜８１４には、インク残量検出部７２１〜７２４，８２１〜８２４がそれぞれ設けられている。
【００３４】
なお、８つの記録ヘッド７０１〜７０４，８０１〜８０４は、全体が一体成型されたものであってもよいし、個別に成形されたものであってもよい。また、８つのインクカートリッジ７１１〜７１４，８１１〜８１４についても同様である。
【００３５】
また、キャリッジ６４は、ガイドレール６５ａ，６５ｂにスライド移動可能に支持され、かつ、無端ベルト６６に固定されている。無端ベルト６６は、駆動プーリ６８および従動プーリ６９に巻回され、駆動プーリ６８にはモータ６７の回転軸が接続されている。従って、モータ６７を正逆回転させることにより、駆動プーリ６８、従動プーリ６９及び無端ベルト６６を介して支持ローラ６３の軸方向にキャリッジ６４が往復移動するようになっている。
【００３６】
第１搬送ローラ６１によって、記録紙Ｐが各記録ヘッド７０１〜７０４，８０１〜８０４の位置まで搬送されるとキャリッジ６４が往復移動し、記録紙Ｐの表面に消色インク又は非消色インクが第１記録ヘッド７０１〜７０４又は第２記録ヘッド８０１〜８０４から吐出され、記録紙Ｐ上に画像が形成される。画像が形成された記録紙Ｐは、第２搬送ローラ６２に送られ、第２搬送ローラ６２によって外部に排出される。
【００３７】
図５のステップＳ１０１〜Ｓ１０９は、図２の複合機１による印刷処理の一例を示したフローチャートである。まず、印刷処理に用いるインク種別が、外部入力に基づいて指定される（ステップＳ１０１）。つまり、端末装置３からの印刷信号又は操作入力部１０による操作入力に基づいて、消色インク又は非消色インクのいずれか一方が、インク指定部１５によって指定される。
【００３８】
インク指定部１５によって指定されたインクが消色インクである場合、ヘッド選択部２０によって第１記録ヘッド７０１〜７０４が選択され、第１記録ヘッド７０１〜７０４を用いた印刷処理が行われる（ステップＳ１０２，Ｓ１０３）。この印刷処理中は、消色インクカートリッジ７１１〜７１４のインク残量の検出が行われている。そして、印刷完了前にインク残量が所定量未満となった場合には、第２記録ヘッド８０１〜８０４が選択され、第２記録ヘッド８０１〜８０４を用いた印刷処理が行われる（ステップＳ１０４〜Ｓ１０６）。つまり、消色インクを用いた印刷処理中に、いずれかの消色インクのインク残量が少なくなれば、非消色インクを用いた印刷処理に切り替わる。
【００３９】
同様にして、ステップＳ１０２において、インク指定部１５により指定されたインクが非消色インクである場合、ヘッド選択部２０によって第２記録ヘッド８０１〜８０４が選択され、第２記録ヘッド８０１〜８０４を用いた印刷処理が行われる（ステップＳ１０７）。この印刷処理中は、非消色インクカートリッジ８１１〜８１４のインク残量の検出が行われている。そして、印刷完了前にインク残量が所定量未満となった場合には、第１記録ヘッド７０１〜７０４が選択され、第１記録ヘッド７０１〜７０４を用いた印刷処理が行われる（ステップＳ１０８〜Ｓ１１０）。つまり、非消色インクを用いた印刷処理中に、いずれかの非消色インクのインク残量が少なくなれば、消色インクを用いた印刷処理に切り替わる。
【００４０】
消色インク及び非消色インクを切り替えた場合、インクの発色性の差によって、記録紙Ｐ上に形成される画像の色調も変化する。このため、消色インク及び非消色インクの切り替えタイミングは、記録紙Ｐを単位として切り替えることが望ましい。また、記録紙Ｐの印刷中に切り替える場合であれば、空白行が出現するタイミングで切り替えることによって、インク切り替えによる色調の変化が目立ちにくくなる。
【００４１】
また、ユーザに対し、インク残量に基づく警告を出力し、当該警告出力後のユーザ操作に基づいて消色インク及び非消色インクを切り替えることが望ましい。つまり、消色インクを用いた印刷処理中に、消色インクの残量が低下すれば、音声出力や画面表示によって警告出力が行われ、当該警告に応じてユーザが操作入力部１０からインク切替を許可する操作入力を行えば、ヘッドを切り替えられることが望ましい。
【００４２】
また、インク残量に基づくインク切替を許可するか否かをユーザが予め設定しておき、当該許否設定に従って、インク切替を行うように構成することもできる。すなわち、図５のステップＳ１０４又はステップＳ１０８において、インク残量が所定量未満であった場合に、インク切替が許可されていれば、上述した通りのインク切替が行われる一方、インク切替が許可されていなければ、インク切替を行うことなく印刷処理を継続し、あるいは、印刷処理を終了するようにすることができる。
【００４３】
さらに、インク切替の許否は、消色インクから非消色インクへの切替と、非消色インクから消色インクへの切替について、個別に設定可能とすることもできる。つまり、ユーザが、許否設定の組み合わせを予め選択することによって、（１）インク残量に基づくインク切替が行われない第１の動作モード、（２）消色インクから非消色インクへの切替のみが行われる第２の動作モード、（３）非消色インクから消色インクへの切替のみが行われる第３の動作モード、（４）消色インク及び非消色インク間で双方向のインク切替が行われる第４の動作モードからなる４つの動作モードを有するように構成することもできる。
【００４４】
なお、上記実施の形態では、いずれもＣＭＹＫからなる４色の消色インクカートリッジ７１１〜７１４と、４色の非消色インクカートリッジ８１１〜８１４を備えた複合機１の例について説明したが、本発明は、この様な装置には限定されない。例えば、黒色のみの１色の消色インクカートリッジ７１１と、ＣＭＹＫからなる４色の非消色インクインクカートリッジ８１１〜８１４とを備えるように構成することもできる。
【００４５】
また、上記実施の形態では、記録ヘッド７０１〜７０４，８０１〜８０４がシリアルヘッドである場合の例を示したが、本発明は、この様な場合には限定されない。例えば、ラインヘッドにも本発明を適用できることは言うまでもない。
【図面の簡単な説明】
【００４６】
【図１】本発明の実施の形態による画像形成装置を含む画像処理システムの一構成例を示したブロック図である。
【図２】図１の複合機１の一構成例を示したブロック図である。
【図３】本実施の形態に係る複合機１における印刷部１６の具体的構成の一例を示した外観図であり、側面図が示されている。
【図４】本実施の形態に係る複合機１における印刷部１６の具体的構成の一例を示した外観図であり、正面図が示されている。
【図５】図２の複合機１による印刷処理の一例を示したフローチャートである。
【符号の説明】
【００４７】
１    複合機
３    端末装置
７０１〜７０４  第１記録ヘッド
７１１〜７１４  消色インクカートリッジ
７２１〜７２４  インク残量検出部
８０１〜８０４  第２記録ヘッド
８１１〜８１４  非消色インクカートリッジ
８２１〜８２４  インク残量検出部
６    印刷制御部
７    第１記録部
８    第２    記録部
１０  操作入力部
１１  ＬＡＮ通信部
１２  光学読取部
１３  ＦＡＸ通信部
１４  メール通信部
１５  インク指定部
１６  印刷部
２０  ヘッド選択部
２１  ヘッド駆動部
【図１】
2010115852.tif 000003
【図２】
2010115852.tif 000004
【図３】
2010115852.tif 000005
【図４】
2010115852.tif 000006
【図５】
2010115852.tif 000007